(57)【特許請求の範囲】
【請求項１】
光ファイバ（２１Ａ、２１Ｂ）を突き合わせ接続可能に成端してなる多心の光コネクタフェルール（２２）をプラグハウジング（２３）に収納してなる光コネクタプラグ（２４ａ、２４ｂ）と、該光コネクタプラグが両側から差し込まれることにより内部にて光コネクタフェルール同士が突き合わせ接続されるハウジング（２５）とを具備し、
前記光コネクタプラグの前記プラグハウジング（２３）には該光コネクタプラグを前記ハウジングに差し込むと同時に前記ハウジング内面に係脱可能に係合する係合片（３０）と、該係合片を変位させる離脱レバー（２９）とを側面から突設し、前記係合片は、前記プラグハウジング（２３）から前記光コネクタプラグの接続方向後側に向けて突出する前記離脱レバーの突出方向中央部に突設され、
前記ハウジングに差し込んだ前記光コネクタプラグの前記ハウジングから外側に突出した離脱レバーを操作して前記光コネクタプラグの前記光コネクタフェルールを収納しているプラグハウジング（２３）に押し付けるようにして弾性変形させると、前記係合片（３０）もハウジング（２５）内面からプラグハウジング（２３）方向に変位することにより前記ハウジングと前記係合片との係合を解除できるようになっており、
筒状の前記ハウジングの軸方向両端において、該ハウジングの一側壁（２５ｃ）には、前記離脱レバーが入り込む切欠部（２５ｂ、２５ｅ）が形成され、
前記ハウジングに差し込んだ両光コネクタプラグの離脱レバーが、前記係合片（３０）が前記ハウジング内面に係合すると共に前記ハウジングの前記一側壁（２５ｃ）に形成された前記切欠部（２５ｂ）に入り込んで、該切欠部から外側に突出されるようにしたことを特徴とする光コネクタ（２０）。
【請求項２】
一方の光コネクタプラグの前記光コネクタフェルールでは突き合わせ接続可能に成端した複数本の光ファイバ（２１ａ、２１ｂ、２１ｃ、２１ｄ）を並列に配列し、他方の光コネクタプラグの光コネクタフェルールでは前記一方の光コネクタプラグの光コネクタフェルールにて配列した光ファイバに対して接続する別の光ファイバ（２１ｅ、２１ｆ、２１ｇ、２１ｈ）を複数本並列に配列し、
各光コネクタプラグは、光コネクタフェルールの長方形状の接合端面（２６）に対応する断面長方形の角筒状のプラグハウジング（２３）に収納し、
各光コネクタプラグの前記離脱レバーは、前記プラグハウジング（２３）の断面長手方向一端部に位置する側壁（２３ａ）から突設されていることを特徴とする請求項１記載の光コネクタ。
【請求項３】
前記プラグハウジングの断面長手方向両側の側壁（２３ａ、２３ｃ）には、ハウジング内のガイド部に入り込むガイド溝（２３ｄ）が形成されていることを特徴とする請求項２記載の光コネクタ。
【発明の詳細な説明】
【０００１】
【発明の属する技術分野】
本発明は、光コネクタに係り、特に光ファイバを突き合わせ接続可能に成端する光コネクタフェルールを収納した光コネクタプラグと、該光コネクタプラグが差し込まれることにより内部にて光コネクタフェルール同士が突き合わせ接続されるハウジングとを備えてなる光コネクタに関するものである。
【０００２】
【従来の技術】
光ファイバ同士を切替可能に接続する光コネクタとしては、例えばいわゆるＳＣ形光コネクタが従来から提供されている。
図４はＳＣ形光コネクタ１の一例を示す。
図４において、ＳＣ形光コネクタ１は、単心光ファイバ２を突き合わせ接続可能に成端する光コネクタフェルール３を収納した光コネクタプラグ４と、該光コネクタプラグ４が挿抜可能に差し込まれるハウジング５（光コネクタアダプタ）とを具備している。ハウジング５内部では、該ハウジング５に差し込まれた光コネクタプラグ４側の光コネクタフェルール３に別の光コネクタフェルールが突き合わせ接続される。
【０００３】
ところで、前記ＳＣ形光コネクタ１では光コネクタフェルール３を高精度に位置決めして突き合わせ接続する必要があることから、光コネクタプラグ４とハウジング５との間にも高い精度が確保（光コネクタフェルール間よりは精度は低い）され、両者の間の挿抜抵抗が大きくなって切替接続等の作業に不便を生じる場合がある。
図５は、前記問題点に鑑みて開発された光コネクタ６を示す。
図５において、この光コネクタ６は、単心光ファイバ７を突き合わせ接続可能に成端した光コネクタフェルール（図示せず）を収納する光コネクタプラグ８、９と、これら光コネクタプラグ８、９が両側から差し込まれ内部にて接続されるハウジング１０（光コネクタアダプタ）とを備えている。光コネクタプラグ８、９はハウジング１０に差し込んだ際に該ハウジング１０と係脱可能に係合する図示しない係合爪を有している。また、光コネクタプラグ８、９からは前記係合爪を変位させてハウジング１０との係合を解除する弾性レバー１１、１２を突設している。これら弾性レバー１１、１２は光コネクタプラグ８、９をハウジング１０に差し込んだ時には該ハウジング１０の外側に突出しているので手動操作することにより係合爪とハウジング１０との係合を容易に解除することができ、これによりハウジング１０から光コネクタプラグ８、９を容易に引き抜くことができる。
【０００４】
【発明が解決しようとする課題】
ところで、前記の光コネクタ６の場合、単心に対応するものであり、多数の光ファイバに対応するためには複数連設することになり、低コスト化、高密度化が困難である。
前記問題に鑑みて、近年では、図６に示すように、ＪＩＳ  Ｃ  ５９８１に制定される光コネクタフェルールに離脱用の弾性レバー１３を突設した形状の光コネクタプラグ１４ａ、１４ｂを使用したいわゆるＲ−Ｊ型の光コネクタが提案されている。光コネクタプラグ１４ａ、１４ｂは多心に対応可能であり、しかも、ハウジング１４ｃに差し込んだ時であっても、弾性レバー１３を操作して前記ハウジング１４ｃと係合片１５との係合を解除することにより、ハウジング１４ｃから光コネクタプラグ１４ａ、１４ｂを容易に引き抜くことができるようになっている。
【０００５】
しかしながら、この光コネクタは光コネクタプラグ１４ａ、１４ｂのサイズが小さく、弾性レバー１３の大型化に限界があるためハウジング１４ｃからの離脱作業性に限界がある。また、図６に示すように、光コネクタプラグ１４ａ、１４ｂ同士の接続では、一方の光コネクタプラグ１４ａの接合端面１６から突設したガイドピン１７を、他方の光コネクタプラグ１４ｂに穿設したガイドピン穴１８に嵌合して両者を精密位置決めすることが必要であり、光コネクタプラグ１４ａ、１４ｂを直接操作してハウジング１４ｃ内にてガイドピン１７をガイドピン穴１８に嵌合するとなると、作業に手間が係るといった問題もある。
さらに、光コネクタプラグ１４ａ、１４ｂでは多心光ファイバ１９ａ、１９ｂ（光ファイバテープ心線）先端に露出させた図示しない裸ファイバを並列に配列して固定しており、目的の裸ファイバの同士を接続するべく光コネクタプラグ１４ａ、１４ｂ同士を接続する場合に光コネクタプラグ１４ａ、１４ｂ間で弾性レバー１３、１３の向きが上下（図６中上下）で逆になってしまうケースがある。すなわち、この種の光コネクタでは、光コネクタプラグ１４ａ、１４ｂに配列された裸ファイバの接続順を決めるために、光コネクタプラグ１４ａ、１４ｂを相対的に逆向きとなるようにして接続することが普通であり、各光コネクタプラグ１４ａ、１４ｂの弾性バー１３がハウジング１４ｃから互いに逆向きに突出することになる。また、実用的なＲ−Ｊ型の光コネクタでは、ハウジング１４ｃに弾性バー１３の位置決め用の溝や係合部が形成されていることが普通であるので、光コネクタプラグ１４ａ、１４ｂ同士が常に正規の向き（弾性レバー１３のハウジング１４ｃからの突出方向が相対的に逆）で差し込まれるようになっている。弾性レバー１３のハウジング１４ｃからの突出方向が相対的に逆であると、各光コネクタプラグ１４ａ、１４ｂのハウジング１４ｃに対する挿抜操作をそれぞれ逆向きで行うことになり、作業性が低下する不満があった。また、ハウジング１４ｃの周囲には弾性レバー１３、１３の操作スペースを確保しなければならず、ハウジング１４ｃの高密度実装の妨げになっていた。これを解消するためには、光ファイバ１９ａ、１９ｂ先端での光コネクタプラグ１４ａ、１４ｂの組み立て向きを接続する裸ファイバに対応して予め設定しておく必要があり、光ファイバ１９ａ、１９ｂごとに光コネクタプラグ１４ａ、１４ｂの組み立て向きを調整するとなると作業に手間が係り、低コスト化できない等の不都合が生じる。
【０００６】
本発明は、前述の課題に鑑みてなされたもので、
（ａ）光コネクタプラグをハウジングに差し込むだけで多心の光コネクタフェルール同士を簡便に突き合わせ接続することができ、しかも、離脱レバーにより接続解除作業をも簡便に行うことができる、
（ｂ）ハウジングに差し込んだ両光コネクタプラグの離脱レバーが共に前記ハウジングの一側壁から外側に突出するようになっている構成により、小型化や低コスト化が容易であり、しかも各光コネクタプラグにて光コネクタフェルールの収納向きを調整するだけで目的の光ファイバ同士を簡便に接続することができる
光コネクタを提供することを目的とする。
【０００７】
【課題を解決するための手段】
本発明では、光ファイバを突き合わせ接続可能に成端してなる多心の光コネクタフェルールをプラグハウジングに収納してなる光コネクタプラグと、該光コネクタプラグが両側から差し込まれることにより内部にて光コネクタフェルール同士が突き合わせ接続されるハウジングとを具備し、前記光コネクタプラグの前記プラグハウジングには該光コネクタプラグを前記ハウジングに差し込むと同時に前記ハウジング内面に係脱可能に係合する係合片と、該係合片を変位させる離脱レバーとを側面から突設し、前記係合片は、前記プラグハウジングから前記光コネクタプラグの接続方向後側に向けて突出する前記離脱レバーの突出方向中央部に突設され、前記ハウジングに差し込んだ前記光コネクタプラグの前記ハウジングから外側に突出した離脱レバーを操作して前記光コネクタプラグの前記光コネクタフェルールを収納しているプラグハウジングに押し付けるようにして弾性変形させると、前記係合片もハウジング内面からプラグハウジング方向に変位することにより前記ハウジングと前記係合片との係合を解除できるようになっており、筒状の前記ハウジングの軸方向両端において、該ハウジングの一側壁には、前記離脱レバーが入り込む切欠部が形成され、前記ハウジングに差し込んだ両光コネクタプラグの離脱レバーが、前記係合片が前記ハウジング内面に係合すると共に前記ハウジングの前記一側壁に形成された前記切欠部に入り込んで、該切欠部から外側に突出されるようにしたことを特徴とする光コネクタを前記課題の解決手段とした。
光コネクタフェルールは、複数本の単心光ファイバあるいは一本または複数本の多心光ファイバを突き合わせ接続可能に成端する。係合片はハウジングに対して係脱可能であれば良く、各種構成が採用可能である。また、離脱レバーは、ハウジングに対する係合片の係合を解除可能な構成であれば良く、各種構成の採用が可能である。
【０００８】
また、本発明では、請求項２記載のように、前記光コネクタプラグが対向する両側から前記ハウジングに差し込まれて接続される光コネクタにおいて、一方の光コネクタプラグの前記光コネクタフェルールでは突き合わせ接続可能に成端した複数本の光ファイバを並列に配列し、他方の光コネクタプラグの光コネクタフェルールでは前記一方の光コネクタプラグの光コネクタフェルールにて配列した光ファイバに対して接続する別の光ファイバを複数本並列に配列し、各光コネクタプラグは、光コネクタフェルールの長方形状の接合端面に対応する断面長方形の角筒状のプラグハウジングに収納し、各光コネクタプラグの前記離脱レバーは、前記プラグハウジングの断面長手方向一端部に位置する側壁から突設されている構成を採用することがより好ましい。
また、請求項３記載のように、前記プラグハウジングの断面長手方向両側の側壁には、ハウジング内のガイド部に入り込むガイド溝が形成されている構成も採用可能である。
【０００９】
【発明の実施の形態】
以下本発明の光コネクタの実施の形態を、図１（ａ）、（ｂ）、（ｃ）から図３を参照して説明する。
図１（ａ）において、本発明の光コネクタ２０は、多心の光ファイバ２１（図１では４心光コード。）を突き合わせ接続可能に成端する光コネクタフェルール２２をプラグハウジング２３内に収納した光コネクタプラグ２４ａ、２４ｂと、該光コネクタプラグ２４ａ、２４ｂが両側から差し込まれ内部にて接続されるハウジング２５（光コネクタアダプタ）とを備えている。
なお、光ファイバ２１は４心光ファイバテープ心線を被覆チューブ内に収納した構成や、４本の光ファイバ単心線を被覆チューブ内に収納した構成等、各種構成が採用可能である。
【００１０】
光コネクタフェルール２２はＪＩＳ  Ｃ  ５９８１に制定される光コネクタフェルール（いわゆるＭＴコネクタ。Mechanicaliy Transferable）であり、長方形状の接合端面２６を有している。図１（ｂ）に示すように、光コネクタプラグ２４ａの光コネクタフェルール２２の接合端面２６の長手方向端部にはガイドピン穴２７を対向配置している。図１（ｃ）に示すように、他方の光コネクタプラグ２４ｂの光コネクタフェルール２２にも同様にガイドピン穴（図示せず）を開口しているが、このガイドピン穴にはガイドピン２８を嵌合している。両光コネクタプラグ２４ａ、２４ｂの光コネクタフェルール２２、２２を接続する際には、このガイドピン２８をガイドピン穴２７に嵌合することにより両者を位置決めする。
【００１１】
各光コネクタプラグ２４ａ、２４ｂにおいて、プラグハウジング２３は光コネクタフェルール２２に適合する長方形断面を有する角筒状であり、光コネクタフェルール２２を突き合わせ接続方向（図１（ａ）において各光コネクタプラグ２４ａ、２４ｂからハウジング２５方向）前後に進退自在に収納している。
図２は、図１の光コネクタプラグ２４ａ、２４ｂの内部構成を示す平面図である。
図２において、プラグハウジング２３内には、光コネクタフェルール２２に突き合わせ接続方向前方への付勢力を与える付勢手段２３ｂ（コイルスプリング）を収納している。付勢手段２３ｂの付勢力は、光コネクタフェルール２２、２２同士の突き合わせ接続時の突き合わせ力として作用する。また、光コネクタプラグ２４ｂ側のプラグハウジング２３内にはガイドピン２８をクランプ保持するピンクランプ２８ａを収納している。光コネクタプラグ２４ｂでは、付勢手段２３ｂの付勢力はピンクランプ２８ａを介して光コネクタフェルール２２に伝達される。
なお、付勢手段としてはコイルスプリング以外、板バネ等、各種構成の採用が可能である。
【００１２】
図１（ａ）に示すように、光コネクタプラグ２４ａのプラグハウジング２３の断面長手方向一端部に位置する一側壁２３ａからは離脱レバー２９を突設している。プラグハウジング２３はプラスチック等の合成樹脂から構成され、離脱レバー２９はプラグハウジング２３と一体的に形成された弾性変形可能な突起であり、前記一側壁２３ａから突き合わせ接続方向後方に向けて突出している。この離脱レバー２９の突出方向中央部には、ハウジング２５内面に係脱可能に係合する係合片３０を突設している。離脱レバー２９は通常時はプラグハウジング２３外面からやや離間しており、係合片３０もプラグハウジング２３外面からやや離間した位置にあり、光コネクタプラグ２４ａをハウジング２５に差し込むと同時に係合片３０がハウジング２５内面に係合するようになっている。
図３に示すように、光コネクタプラグ２４ａをハウジング２５の所定位置にまで差し込むと、離脱レバー２９はハウジング２５に形成した切欠部２５ｂ（後述）に入り込み、離脱レバー２９先端はハウジング２５から外側に突出する。そして、離脱レバー２９のハウジング２５から突出した先端を手動にて操作してプラグハウジング２３に押し付けるようにして弾性変形させると、係合片３０もハウジング２５内面からプラグハウジング２３方向に変位し、ハウジング２５内面との係合が解除される。
【００１３】
また、図１（ａ）および（ｂ）に示すように、プラグハウジング２３の一側壁２３ａおよび該一側壁２３ａに対向する他側壁２３ｃには、ハウジング２５内に形成した図示しないガイド部に入り込むガイド溝２３ｄを形成している。したがって、この光コネクタプラグ２４ａは、ハウジング２５に差し込むと、離脱レバー２９が切欠部２５ｂに入り込み、さらにガイド溝２３ｄがハウジング２５側のガイド部に入り込むことによりハウジング２５内に安定に支持される。これにより、例えば、図３中仮想線に示すように、光ファイバ２１Ａに矢印Ａ方向へ引っ張られて光コネクタプラグ２４ａに側方への外力が加わった場合（いわゆるサイドプル）であっても、光コネクタプラグ２４ａの差し込み状態を安定に維持することができる。
光コネクタプラグ２４ａの上述の構成は、光コネクタプラグ２４ｂにおいても同様である。
【００１４】
図１（ａ）に示すように、プラグハウジング２３の一側壁２３ａは、該プラグハウジング２３内に収納した光コネクタフェルール２２の接合端面２６の長手方向一端部に近接している。図１（ｂ）に示すように、光コネクタフェルール２２の接合端面２６には、符号２１ａ〜２１ｄの４本の裸ファイバを同一平面上にて並列に位置決め固定している。そして、プラグハウジング２３には、該プラグハウジング２３の一側壁２３ａに裸ファイバ２１ｄが近接配置されるようにして光コネクタフェルール２２を収納している。
図１（ｃ）に示すように、他方の光コネクタプラグ２４ｂも同様に一側壁２３ａから離脱レバー２９が突設されているプラグハウジング２３を備え、このプラグハウジング２３には前述した一方の光コネクタプラグ２４ａ側の光コネクタフェルール２２の裸ファイバ２１ａ〜２１ｄと接続される裸ファイバ２１ｅ〜２１ｈを接合端面２６に並列に配列して固定している。この光コネクタプラグ２４ｂでは、裸ファイバ２１ｈが一側壁２３ａに近接配置されるようにして光コネクタフェルール２２をプラグハウジング２３内に収納している。
なお、裸ファイバ２１ａ〜２１ｄ、２１ｅ〜２１ｈは請求項２記載の光ファイバに相当する。
【００１５】
ハウジング２５は筒状であり、一方の光コネクタプラグ２４ａが差し込まれる軸方向一端部２５ａでは、離脱レバー２９が入り込む切欠部２５ｂを一側壁２５ｃに形成している。この切欠部２５ｂは離脱レバー２９が入り込むことによりハウジング２５に対して光コネクタプラグ２４ａを位置決めする機能をも果たすので、光コネクタプラグ２４ａをハウジング２５の所定位置に差し込む作業が容易になる。これにより、ガイドピン穴２７にガイドピン２８を嵌合する作業をも効率良く行うことができる。
なお、ハウジング２５の軸方向他端部２５ｄでは、同じく一側壁２５ｃに切欠部２５ｅを形成している。この切欠部２５ｅには他方の光コネクタプラグ２４ｂの離脱レバー２９が差し込まれる。
【００１６】
この光コネクタ２０では、図３に示すように、両光コネクタプラグ２４ａ、２４ｂをハウジング２５に両側から差し込み、内部にて光コネクタフェルール２２、２２同士を突き合わせ接続することにより、光ファイバ２１Ａ、２１Ｂ同士が接続される。この時、一方の光コネクタプラグ２４ａは離脱レバー２９を切欠部２５ｂに挿入するようにしてハウジング２５に差し込み、他方の光コネクタプラグ２４ｂも離脱レバー２９を切欠部２５ｂに挿入するようにして差し込む。こうすることにより、各光コネクタフェルール２２の接合端面２６に位置決め固定した裸ファイバ２１ａ、２１ｅ同士、２１ｂ、２１ｆ同士……（図１参照）というように、互いに対応する裸ファイバ２１ａ〜２１ｄ、２１ｅ〜２１ｈが同時に接続される。
【００１７】
裸ファイバ２１ａと２１ｈ、２１ｂと２１ｇ……のように裸ファイバ２１ａ〜２１ｄ、２１ｅ〜２１ｈ同士を先程とは逆順で接続する場合には、いずれかの一方の光コネクタプラグ２４ａ、２４ｂのプラグハウジング２３にて光コネクタフェルール２２の収納向きを反転させれば良い。例えば、図１（ｂ）を参照しながら説明すると、一方の光コネクタプラグ２４ａにて光コネクタフェルール２２を左右を逆にしてプラグハウジング２３に収納し、プラグハウジング２３の一側壁２３ａに裸ファイバ２１ａが近接配置されるようにする。これにより、光ファイバ２１Ａまたは２１Ｂ端末における光コネクタフェルール２２の組み立て作業を変更する必要は無い。この時も、光コネクタフェルール２２、２２同士を接続する作業は光コネクタフェルール２２の反転前と同様であり、各光コネクタプラグ２４ａ、２４ｂの離脱レバー２９をハウジング２５の切欠部２５ｂ、２５ｅに差し込むようにするので、光コネクタフェルール２２、２２同士の接続向きを間違うといった不都合を防止でき、光コネクタプラグ２４ａ、２４ｂをハウジング２５に差し込んで光コネクタフェルール２２、２２同士を接続するだけで、目的の裸ファイバ２１ａ〜２１ｄ、２１ｅ〜２１ｃｈ同士を正しく接続することができる。
【００１８】
このように、この光コネクタ２０によれば、光コネクタフェルール２２、２２同士を正逆いずれの向きで接続する場合であっても、各光コネクタプラグ２４ａ、２４ｂの離脱レバー２９をハウジング２５の切欠部２５ｂ、２５ｅに差し込むので、両光コネクタプラグ２４ａ、２４ｂの離脱レバー２９はいずれもハウジング２５の一側壁２５ｃ側に配置されることになる。このため、この光コネクタ２０では離脱レバー２９の操作スペースを前記一側壁２５ｃ近傍にのみ確保すれば足り、高密度実装が可能である。しかも、光コネクタフェルール２２のプラグハウジング２３への収納向きを調整するだけで両光コネクタプラグ２４ａ、２４ｂの光コネクタフェルール２２、２２同士の接続向きを調整でき、光コネクタフェルール２２、２２間にて裸ファイバ２１ａ〜２１ｄ、２１ｅ〜２１ｈを逆順で接続する場合であっても光ファイバ２１Ａや２１Ｂ端末における光コネクタフェルール２２の組み立て作業を変更する必要が無いので高い組み立て作業性を確保することができ、光コネクタ２０を低コスト化することができる。
さらに、切欠部２５ｂまたは２５ｅに入り込んだ離脱レバー２９やガイド溝２３ｄによって、ハウジング２５に差し込んだ光コネクタプラグ２４ａ、２４ｂのサイドプルに対する耐力を高めているので、ハウジング２５にて接続した光コネクタフェルール２２、２２間の位置ずれが防止され、これにより接続状態を安定に維持することができ、低接続損失を安定かつ確実に得ることができる。
【００１９】
なお、本発明の光コネクタは前記実施形態に限定されず、各種変更が可能である。
例えば、前記実施形態に示した以外の構成の光コネクタプラグやハウジングを使用することや、離脱レバーや係合片形状を変更すること等が可能である。
また、光コネクタプラグは、光コネクタフェルールを取り出し可能に収納する構成を採用することがより好ましく、これにより光コネクタフェルールの収納向きを反転する作業が簡便になり、光コネクタフェルール同士の接続により接続される光ファイバの組み合わせを容易に変更することができる。
前記実施形態に示した光コネクタフェルールは４心用であるが、４心以外、２心、３心、あるいは５心以上に対応できる光コネクタフェルールを採用することも可能である。
【００２０】
【発明の効果】
以上説明したように、本発明の光コネクタによれば、
（イ）多心の光コネクタフェルールを収納した光コネクタプラグをハウジングに両側から差し込むだけで多心の光コネクタフェルール同士を簡便に突き合わせ接続することができる、これにより光コネクタフェルールにて成端した複数本の光線路を一度に接続することができる、
（ロ）離脱レバーにより接続解除作業をも簡便に行うことができる、
（ハ）光コネクタプラグへの光コネクタフェルールの収納向きを選択するだけで、ハウジングにて光コネクタフェルール同士を接続すると同時に目的の光線路同士を接続することができる、
（ニ）（ハ）により、光ファイバ端末での光コネクタフェルールの組み立て作業を変更する必要が無いので、光コネクタフェルールの組み立てに高い作業性を維持することができ、低コスト化できる
といった優れた効果を奏する。
【００２１】
また、本発明によれば、ハウジングに差し込んだ両光コネクタプラグの離脱レバーが共に前記ハウジングの一側壁から外側に突出するようになっている構成により、（ホ）ハウジングの周囲に確保すべき離脱レバーの突出スペースや該離脱レバーの操作スペースが小さくて済み、この光コネクタの高密度実装が可能になる、（ヘ）離脱レバーによってハウジングに対する光コネクタプラグの差し込み向きが判かり易くなっているので、光ファイバに係る目的の光線路同士を簡便に接続することができるといった優れた効果を奏する。
【図面の簡単な説明】
【図１】  本発明の光コネクタの第１実施形態を示す図であって、（ａ）は分解斜視図、（ｂ）はガイドピンを挿入していない光コネクタフェルールを収納したプラグハウジング先端を示す拡大斜視図、（ｃ）はガイドピンを挿入した光コネクタフェルールを収納したプラグハウジング先端を示す拡大斜視図である。
【図２】  図１の光コネクタの内部構成を示す平面図である。
【図３】  図１の光コネクタの接続状態を示す斜視図である。
【図４】  ＳＣ形光コネクタを示す分解斜視図である。
【図５】  光コネクタプラグに離脱用の弾性レバーを備えた単心光コネクタを示す正面図である。
【図６】  光コネクタプラグに離脱用の弾性レバーを備えた多心光コネクタを示す正面図である。
【符号の説明】
２０…光コネクタ、２１Ａ，２１Ｂ…光ファイバ（多心光ファイバ、４心光コード）、２１ａ，２１ｂ，２１ｃ，２１ｄ，２１ｅ，２１ｆ，２１ｇ，２１ｈ…光ファイバ（裸ファイバ）、２２…光コネクタフェルール、２４ａ，２４ｂ…光コネクタプラグ、２５…ハウジング（光コネクタアダプタ）、２５ｃ…一側壁、２９…離脱レバー、３０…係合片。
【図１】
0003886610.tif 000002
【図２】
0003886610.tif 000003
【図３】
0003886610.tif 000004
【図４】
0003886610.tif 000005
【図５】
0003886610.tif 000006
【図６】
0003886610.tif 000007